(57)【要約】【課題】  画像形成装置に接続される用紙後処理装置において、イニシャル動作時には用紙受け部材の基準位置あわせ動作を行うだけで、画像形成装置からの画像出力動作が開始されて初めて受け入れ用紙サイズ位置への用紙受け部材の移動が始まるために、画像形成装置は、後処理装置の用紙受け部材の移動完了まで後処理装置への用紙排出を行うことができずに、結果として画像出力完了までに時間がかかっていた。【解決手段】  用紙後処理装置がイニシャル動作時に引き続いて所定の用紙サイズの受け入れ状態になるように用紙受け部材などを移動させる動作を行うことにより課題を解決した。【選択図】図３
2008050146.tif 000002
【特許請求の範囲】
【請求項１】
画像形成装置に接続されて画像形成された用紙の受け入れや整合やステイプル処理やパンチ処理や束排出のいずれかまたはそれらの複合等の後処理を行う用紙後処理装置において、
前記用紙後処理装置に前記画像形成装置が接続されたことを検知することと前記用紙後処理装置に接続された前記画像形成装置の電源への通電を検知することと前記用紙後処理装置の開閉カバーが閉められたこととのいずれかを検知する検知部と
前記用紙後処理装置内の用紙受け取り部の用紙保持部材を基準位置とするイニシャル動作と前記用紙受け取り部の用紙保持部材を所定の用紙サイズを受け入れる位置とする待機動作とが可能な駆動部と
前記検知部の検知に基づき前記用紙保持部材の前記イニシャル動作を行い、引き続いて前記待機動作を行わせるように前記駆動部を制御する制御部とを有する
ことを特徴とする用紙後処理装置。
【請求項２】
請求項１の用紙後処理装置であって、
前記駆動部は、前記所定の用紙サイズを受け入れる位置を前回処理を行った用紙サイズとする
ことを特徴とする用紙後処理装置。
【請求項３】
請求項１の用紙後処理装置であって、
前記駆動部は、前記所定の用紙サイズを受け入れる位置をあらかじめ指定した用紙サイズとする
ことを特徴とする用紙後処理装置。
【請求項４】
請求項１の用紙後処理装置であって、
前記駆動部は、前記所定の用紙サイズを受け入れる位置を前記画像形成装置に設定されている用紙サイズとする
ことを特徴とする用紙後処理装置。
【発明の詳細な説明】
【技術分野】
【０００１】
画像形成装置に付属の用紙後処理装置において、イニシャル動作後に所定の用紙サイズに合わせた状態で待機する用紙後処理装置に関する。
【背景技術】
【０００２】
画像形成装置の用紙処理装置においては、本体通電時または、後処理装置のドアの開き状態の検知時に後処理装置の用紙の幅および縦方向の基準位置合わせのための動作（これをイニシャル動作と呼ぶ）を行うが、従来イニシャル動作時に用紙のサイズを限定して待機させる制御のことを考慮して設計されることは少なかった。
【０００３】
特許文献１によれば、省エネモード時に用紙後処理装置の本体ドアが開閉された場合または、省エネモードから通常モードに移行したときに用紙後処理装置がイニシャル動作を実行するように構成されている。
【０００４】
特許文献２によれば、画像形成装置の排紙部より排出される画像形成済みの用紙に、ファイリング用のパンチ孔を開けるロータリータイプのパンチユニットを備えた用紙後処理装置において、前記パンチユニットを構成するポンチとダイスのホームポジションを検知するホームポジションセンサを備え、前記ポンチとダイスの非噛み合い回動範囲内で前記ポンチとダイスを回転させて、前記ポンチとダイスをホームポジションに位置させるための動作であるイニシャル動作を行うようにしている。
【０００５】
しかしながら、これら何れの先行技術も、用紙後処理装置の作業時間の短縮を考慮するものではない。
【０００６】
用紙後処理装置は、本体通電時や用紙後処理装置の開閉カバーの閉め動作時においてはイニシャル動作を行うだけであり、画像形成装置のスタートボタンの押下時に初めて内部の用紙保持部材が受け入れる用紙のサイズ位置に移動する。そのため画像形成装置は後処理装置の受け入れ体勢が整うまで待機しなければならず、作業終了まで時間がかかるという不都合があった。
【０００７】
【特許文献１】特許第３６３５８９８号公報
【特許文献２】特許第３４８２３２０号公報
【発明の開示】
【発明が解決しようとする課題】
【０００８】
解決しようとする問題点は、画像形成装置に接続されて用いられる用紙後処理装置において、用紙受け取り部の用紙保持部材が用紙受け入れ位置までの移動をイニシャル時に行わず、画像形成装置からの画像出力開始後に用紙受け取り部の用紙保持部材が用紙受け入れ位置までの移動を行うために、画像形成装置は後処理装置の受け入れ体勢が整うまで待機しなければならず、作業終了まで時間がかかる点である。
【課題を解決するための手段】
【０００９】
本発明の用紙後処理装置は、画像形成装置に接続されて画像形成された用紙の受け入れや整合やステイプル処理やパンチ処理や束排出のいずれかまたはそれらの複合等の後処理を行う用紙後処理装置において、前記用紙後処理装置に前記画像形成装置が接続されたことを検知することと前記用紙後処理装置に接続された前記画像形成装置の電源への通電を検知することと前記用紙後処理装置の開閉カバーが閉められたこととのいずれかを検知する検知部と前記用紙後処理装置内の用紙受け取り部の用紙保持部材を基準位置とするイニシャル動作と前記用紙受け取り部の用紙保持部材を所定の用紙サイズを受け入れる位置とする待機動作とが可能な駆動部と前記検知部の検知に基づき前記用紙保持部材の前記イニシャル動作を行い、引き続いて前記待機動作を行わせるように前記駆動部を制御する制御部とを有することを最も主要な特徴とする。
【発明の効果】
【００１０】
本発明の用紙後処理装置は、画像形成装置に接続されて画像形成された用紙の受け入れや整合やステイプル処理やパンチ処理や束排出のいずれかまたはそれらの複合等の後処理を行う用紙後処理装置において、前記用紙後処理装置に前記画像形成装置が接続されたことを検知することと前記用紙後処理装置に接続された前記画像形成装置の電源への通電を検知することと前記用紙後処理装置の開閉カバーが閉められたこととのいずれかを検知する検知部と前記用紙後処理装置内の用紙受け取り部の用紙保持部材を基準位置とするイニシャル動作と前記用紙受け取り部の用紙保持部材を所定の用紙サイズを受け入れる位置とする待機動作とが可能な駆動部と前記検知部の検知に基づき前記用紙保持部材の前記イニシャル動作を行い、引き続いて前記待機動作を行わせるように前記駆動部を制御する制御部とを有することを最も主要な特徴とするため、画像形成装置は後処理装置の用紙保持部材の用紙サイズ位置までの移動のために待機する必要が無くなり、画像形成装置及び後処理装置における作業終了までの時間が短縮可能となった。
【発明を実施するための最良の形態】
【００１１】
画像形成装置に接続されて用いられる用紙後処理装置において、画像形成装置からの画像出力が開始されてから用紙受け取り部の用紙保持部材が用紙受け入れ位置までの移動を行うために、その移動動作完了まで画像形成装置は用紙を後処理装置に送ることができずに待機しなければならず、画像出力作業終了まで時間がかかるという問題点を、イニシャル動作後に引き続き用紙受け取り部の用紙保持部材が用紙受け入れ位置へ移動する待機動作を行う制御方法をとることにより解決した。
【実施例１】
【００１２】
［構成］
図１は、本発明の一実施形態に係る用紙後処理装置２０が、複写機１０（画像形成装置）に接続された状態を示す正面断面視の説明図である。まず最初に、図１を基に、複写機１０について説明する。複写機１０（画像形成装置）は、箱形を呈した複写機本体１１に原稿読取部１２と、像形成部１３と、給紙部１４とが装着されることによって構成されている。原稿読取部１２は、複写機本体１１の上面側に設けられているのに対し、像形成部１３は、複写機本体１１内の略中央部に設けられているとともに、給紙部１４は、複写機本体１１内における像形成部１３の下方位置に設けられている。
【００１３】
前記原稿読取部１２は、光学的に読み取った原稿画像から画像データを生成するスキャナー等を有し、その上面に第１コンタクトガラス１２１と第２コンタクトガラス１２２とを備えている。第１コンタクトガラス１２１は、原稿抑え１２３を開いてマニュアル操作で原稿をセットするときに使用されるものであり、複写機本体１１の上面中央部の略全面に設けられている。これに対し第２コンタクトガラス１２２は、原稿抑え１２３上に載置された複数枚の原稿を、自動的に順次読み取るときに使用されるものであり、原稿搬送機構１２４の駆動で第２コンタクトガラス１２２に接するようにして順次搬送される原稿から当該原稿の画像データが読み取られるようになっている。
【００１４】
前記原稿搬送機構１２４は、原稿載置部１２５と、搬入ローラ対等を備えた搬入駆動部１２６と、搬送ローラ対１２７と、排出ローラ対１２８と、排紙台１２９とを備え、原稿載置部１２５に載置された原稿を自動的に一枚ずつ第２コンタクトガラス１２２に接触させつつ搬送し、原稿の露光走査後に排紙台１２９に排出するようになっている。
【００１５】
前記給紙部１４には、転写用の用紙Ｐが収納される挿脱自在の給紙カセット１４１と、手差し給紙部１４２とが設けられている。かかる給紙部１４は、給紙カセット１４１から像形成部１３へ用紙Ｐを搬送する第１搬送路１４３と、手差し給紙部１４２から像形成部１３へ用紙Ｐを搬送する第２搬送路１４５とを備えている。また、各給紙カセット１４１および手差し給紙部１４２は、収納されている用紙Ｐを取り出すためのピックアップローラ１４６と、用紙Ｐを１枚ずつ搬送路に送り出す給紙ローラ対１４７とをそれぞれ備えている。
【００１６】
第１搬送路１４３には、各給紙カセット１４１からピックアップローラ１４６および給紙ローラ対１４７を介して給紙された用紙Ｐを搬送する搬送ローラ対１４８と、像形成部１３の手前で搬送されてくる用紙Ｐを所定位置に待機させるためのレジストローラ対１４９とが設けられている。なお、第２搬送路１４５は、レジストローラ対１４９の上流側で第１搬送路１４３と合流している。
【００１７】
前記像形成部１３は、回転可能な感光体ドラム１３０を有し、この感光体ドラム１３０の周囲に沿うように帯電部１３１ａと、現像部１３１ｂと、クリーニング部１３２と、レーザ走査ユニット１３３と、転写ローラ１３４と、定着ローラ対１３５とが配設されている。
【００１８】
帯電部１３１ａは、感光体ドラム１３０の表面を所定電位に均一に帯電させるものであり、レーザ走査ユニット１３３は、複写機制御部から送信された画像データに基づきレーザービームを感光体ドラム１３０の表面に照射し、感光体ドラム１３０表面に静電潜像を形成するものである。
【００１９】
また、現像部１３１ｂは、静電潜像にトナーを付着させて画像を顕在化させるものであり、転写ローラ１３４は、顕在化したトナー像を用紙Ｐに転写するものである。また、定着ローラ対１３５は、用紙Ｐに転写されたトナー像を定着させるものであり、クリーニング部１３２は、画像転写後に感光体ドラム１３０の表面に残留しているトナーを清掃除去して清浄化し、つぎの静電潜像形成に備えるものである。
【００２０】
そして、複写機本体１１の上部には、用紙部１３６が設けられ定着ローラ対１３５から導出された用紙Ｐが用紙排出部１３６に排出される。前記定着ローラ対１３５の直下流側には排出分岐ガイド１３７が設けられ、この排出分岐ガイド１３７によって用紙Ｐの排出方向を前記用紙排出部１３６向けと排出ローラ対１３８を介して排紙口１３９から系外へ排出される系外向けの搬送路とのいずれかに切り換え得るようになっている。
【００２１】
前記系外向けの搬送路には、その下流端に前記排紙口１３９が設けられているとともに、前記排出ローラ対１３８は、排紙口１３９の直上流側に設けられ、側定着ローラ対１３５から搬送されてきた用紙Ｐは、排出ローラ対１３８の駆動で排紙口１３９を介して外部に排出されるようになっている。
【００２２】
また、複写機本体１１の前面側の上部適所には、複写情報入力部１０１が設けられているとともに、この複写情報入力部１０１に隣接して後処理情報入力部１０２が設けられている。前記複写情報入力部１０１は、複写に関する情報を入力するためのものであり、所定のボタンやテンキーからの入力操作で原稿のサイズや、複写される用紙Ｐのサイズ、さらには複写枚数、拡大・縮小の倍率等を入力し得るようになっている。かかる複写情報入力部１０１からの入力情報に基づいて複写処理が実行される。
【００２３】
前記後処理情報入力部１０２は、複写機１０で複写処理が実行された後の用紙Ｐに対して後処理を施すに際し、当該後処理に関する情報（条件）を入力するものであり、パンチング処理の有無、ステイプル処理の有無、ステイプル処理を行う場合のステイプル位置等が所定のキーボタン操作で入力されるようになっている。
【００２４】
また、これら複写情報入力部１０１および後処理情報入力部１０２の近傍には警報を含む各種の情報を表示出力する表示部１０３が設けられている。
【００２５】
そして、排紙口１３９から排紙された定着処理済の用紙Ｐは、本発明に係る用紙後処理装置２０へ導入され、前記後処理情報入力部１０２からの後処理情報に基づいて所定の後処理が施されることになる。以下、用紙後処理装置２０の概要について、図１および図２を基に説明する。
【００２６】
図２は、用紙後処理装置２０の一実施形態を示す斜視図であり、中間トレイ４１がメンテナンス等のために引き出された状態を示している。なお、図１および図２において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。（用紙の幅方向及び縦方向とは別）
図１および図２に示すように、後処理装置２０は、複写機１０から排紙口１３９を介して搬入された用紙Ｐに対しフィニッシング処理の一つであるパンチング処理を行うパンチ部３０と、このパンチ部３０の下流側に設けられ用紙束に対しステイプル処理を施すステイプル処理部４０と、パンチング処理およびステイプル処理のいずれか一方または双方の施された用紙Ｐまたは用紙束を系外に排紙する排紙部５０とがそれぞれ箱形を呈した装置本体２１に装着されることによって形成されている。
【００２７】
前記装置本体２１の複写機本体１１に対する当接面には、複写機本体１１の排紙口１３９と対向した用紙受入口２２が設けられ、複写機１０から排紙口１３９を介して排紙された定着処理済の用紙Ｐは、この用紙受入口２２から用紙後処理装置２０内に導入されるようになっている。
【００２８】
前記パンチ部３０は、装置本体２１内における用紙受入口２２の直下流側に形成されている。かかるパンチ部３０には、給紙された用紙Ｐの所定の位置に綴じ孔を穿孔する所定のパンチマシン３１が設けられている。
【００２９】
前記ステイプル処理部４０は、パンチマシン３１の直下流側に設けられた搬入ローラ対２０１および搬送分岐ガイド２０２を介して搬送されてきた用紙Ｐを用紙束として一時的にストックする中間トレイ４１（用紙受け取り部）を有している。パンチ部３０から送り出された用紙Ｐは、搬送分岐ガイド２０２が当該用紙Ｐをステイプル処理部４０へ向わせるように姿勢設定され状態で順次中間トレイ４１上へ供給され、この中間トレイ４１上で貯留されて用紙束になる。そして、ステイプル処理部４０は、かかる用紙束に対して各種の態様でステイプル処理を施すようになっている。
【００３０】
前記排紙部５０は、装置本体２１に昇降可能に設けられたソート用排出トレイ５１と、このソート用排出トレイ５１の上方位置で装置本体２１に固定されたノンソート用排出トレイ５２と、前記ソート用排出トレイ５１を昇降させる昇降機構５３とを備えて構成されている。ソート用排出トレイ５１へは、中間トレイ４１でステイプル処理が施された用紙束が第１排出ローラ対２０３を介して排出されるようになっている。これに対し、ノンソート用排出トレイ５２へは、パンチ部３０を通過し搬送分岐ガイド２０２によってノンソート用排出トレイ５２側に分岐された用紙Ｐが排出されるようになっている。したがって、ノンソート用排出トレイ５２には、ステイプル処理の施された用紙束が排出されることはない。
【００３１】
なお、前記昇降機構５３は、後処理装置制御部２９９からの制御信号に応じてソート用排出トレイ５１上に排出された用紙束の上面が、第１排出ローラ対２０３からの用紙束の排出に適した高さレベルに位置するように、ソート用排出トレイ５１の位置を昇降するものである。
【００３２】
次に、ステイプル処理部４０について詳細に説明する。ステイプル処理部４０は、前記装置本体２１内に幅方向で斜めに配設された中間トレイ４１（用紙受け取り部）と、この中間トレイ４１の前方側に所定の間隔を置いて対向配設された蓋体４２と、前記中間トレイ４１に装着される搬送構造（排出手段）４３および幅寄せ部材４４（用紙保持部材）と、前記中間トレイ４１および蓋体４２のいずれか一方または双方に装着されるステイプラー４５とを備えて構成されている。
【００３３】
前記中間トレイ４１は、複写機１０から給紙された用紙Ｐをステイプル処理のために一時貯留するものであり、図１に示すように、装置本体２１内で上端部が前記第１排出ローラ対２０３と対向するとともに下端部が装置本体２１の下部右方に位置するように斜めに配設され、搬入ローラ対２０１を介して導入された用紙Ｐは、中間トレイ４１の右面に沿って収納されるようになっている。
【００３４】
また、中間トレイ４１には、上下方向の中間位置より若干上方位置に前後方向一対のそれぞれ前後方向に延びる上部ガイド長孔４１３が穿設されているとともに、上下方向の中間位置より若干下方位置に前後方向一対のそれぞれ前後方向に延びる下部ガイド長孔４１４が穿設されている。これらのガイド長孔４１３，４１４は、前記幅寄せ部材４４を前後方向に移動可能に装着するためのものである。
【００３５】
前記蓋体４２は、当該蓋体４２と面対向した中間トレイ４１とでステイプル処理部４０に導入された用紙Ｐを貯留する貯留空間を形成するためのものであり、搬入ローラ対２０１を介してステイプル処理部４０へ導入される用紙Ｐは、この蓋体４２内を通り、導入ローラ対４２１および回動案内部材４２２（図１）を介して中間トレイ４１上に供給されるようになっている。
【００３６】
すなわち、蓋体４２には、図１に示すように、上下方向で並設された複数の導入ローラ対４２１が設けられているとともに、各導入ローラ対４２１の左方のものには、その支軸回りに回動自在に回動案内部材４２２が軸支されているのである。
【００３７】
前記導入ローラ対４２１は、ステイプル処理部４０へ導入された用紙Ｐを蓋体４２に沿って搬送するものであり、前記回動案内部材４２２は、サイズの異なる用紙Ｐや、用紙Ｐの向きにより搬送方向に対して長さの異なる用紙Ｐを、それぞれの用紙Ｐのサイズや向きに応じて中間トレイ４１の所定の位置へ搬入するためのものである。
【００３８】
かかる回動案内部材４２２は、導入ローラ対４２１（図１）の支軸回りに正逆回動することで、用紙Ｐを蓋体４２に沿って直送する直送姿勢と、用紙Ｐを中間トレイ４１へ案内する案内姿勢との間で姿勢変更可能になっており（図１では、全ての回動案内部材４２２が直送姿勢に姿勢設定された状態が示されている）、用紙Ｐのサイズ等に応じていずれかの回動案内部材４２２が案内姿勢に姿勢設定されることにより、用紙Ｐは、その回動案内部材４２２に案内されつつ中間トレイ４１上の所定の位置に導入されることになる。
【００３９】
前記搬送構造４３は、図２に示すように、中間トレイ４１の上方切欠き部に装着される前後方向一対の上部プーリと、同下方切欠き部装着される前後方向一対の下部プーリと、これら各一対の上下のプーリ間に張設される前後方向一対の搬送ベルト４３３と、これら一対の搬送ベルト４３３間に架設される用紙受け部材４３４（用紙保持部材）とを備えて構成されている。
【００４０】
前記用紙受け部材４３４は、一対の搬送ベルト４３３間に架設固定されており、正面視でＬ字状を呈している。
【００４１】
用紙束が用紙受け部材４３４に支持された状態で搬送ベルトを駆動する図示しない搬送モータ（駆動部）が正逆駆動することによって搬送ベルト４３３（駆動部）が正逆周回し、これによって用紙受け部材４３４が中間トレイ４１に沿って昇降することになる。
【００４２】
また、搬送モータ（駆動部）の連続駆動で搬送ベルト４３３（駆動部）を反時計方向へ周回させることにより、用紙受け部材４３４（用紙保持部材）が上昇を継続し、これによって用紙受け部材４３４に貯留されている用紙束をステイプル処理部４０から第１排出ローラ対２０３を介してソート用排出トレイ５１へ排出することができるようにもなっている。
【００４３】
前記幅寄せ部材４４（用紙保持部材）は、中間トレイ４１（用紙受け取り部）へ排紙された用紙Ｐに対し前後方向の整合を行う、いわゆる幅寄せ処理用のものであり、本実施形態においては、前記上部ガイド長孔４１３に案内されつつ前後方向に正逆移動する前後方向一対の上部幅寄せ部材４４と、前記下部ガイド長孔４１４に案内されつつ前後方向に正逆移動する前後方向一対の下部幅寄せ部材４４とからなっている。
【００４４】
かかる幅寄せ部材４４は、図示しない回転駆動する幅寄せモータ（駆動部）によって移動する機構となっている。
【００４５】
幅寄せモータ（駆動部）の駆動を適正に後処理装置制御部２９９により制御することにより、中間トレイ４１上に導入され用紙Ｐの幅寸法（図２における前後寸法）に応じて対向した一対の幅寄せ部材４４間の隙間寸法を設定したり、一対の幅寄せ部材４４間に用紙Ｐを保持した状態で、当該用紙Ｐの中間トレイ４１上における前後位置を変更する、いわゆるシフト操作を行うことができる。
【００４６】
ステイプル処理は、中間トレイ４１へ排紙された用紙Ｐに対し、用紙Ｐの上下方向の中間位置にステイプル処理を施す前後方向に向けて正逆移動可能な前後方向一対の中綴じ用ステイプラー４５と、中間トレイ４１上の用紙Ｐの下縁部にステイプル処理を施す前後方向に向けて正逆移動可能な前後方向一対の端綴じ用ステイプラー４５１とからなっており、指示されたステイプル処理に応じて上記中綴じ用ステイプラー４５と端綴じ用ステイプラー４５１がステイプル処理を行う。
【００４７】
［イニシャル動作］
後処理装置２０には、制御回路からなる後処理装置制御部２９９（制御部）が搭載されており、用紙保持部材の移動を行う駆動部を制御して、イニシャル動作及び用紙受け入れサイズへの制御を行う。
【００４８】
また、後処理装置２０は、開閉カバー９１の開閉状態を検知する開閉カバー開閉状態検知部９３（検知部）と画像形成装置接続状態検知部９５（検知部）を備えており、複写機１０（画像形成装置）が後処理装置に接続されること及び通電されることを画像形成装置接続状態検知部９５が検知し、また用紙後処理装置２０の開閉カバー９１が閉められたかどうかを開閉カバー開閉状態検知部９３により検知する。そしてそれらを検知するとイニシャル動作を開始する。
【００４９】
イニシャル動作時には、中間トレイ４１（用紙受け取り部）の幅寄せ部材４４（用紙保持部材）と用紙受け部材４３４（用紙保持部材）の駆動部が用紙の最大位置まで移動して、基準位置あわせ動作を行う。
【００５０】
より具体的には、幅寄せ部材４４（用紙の幅方向の用紙保持部材）は、上部ガイド長孔４１３と下部ガイド長孔４１３に沿って中間トレイ４１の裏側に配置された図示されない駆動機構により用紙幅方向に移動して用紙幅方向の基準位置あわせ動作を行う。
【００５１】
また、用紙受け部材４３４（用紙の縦方向の用紙保持部材）は、搬送ベルト４３３に取り付けられており、中間トレイ４１の裏側に配置された図示されない駆動機構が搬送ベルト４３３を駆動して用紙受け部材４３４を上下方向に移動して用紙縦方向の基準位置あわせ動作を行う。
【００５２】
基準位置あわせ動作（イニシャル動作）後に引き続いて待機動作を行う。幅寄せ部材４４（用紙保持部材）と用紙受け部材４３４（用紙保持部材）が所定の用紙サイズ（例えばＡ４用紙ならＡ４用紙のサイズに合わせた幅と高さ）に合わせた位置に移動して待機する。
【００５３】
［フローチャート］
次に後処理装置制御部２９９（制御部）が行う制御動作について、図３のフローチャートを用いて説明する。
【００５４】
Ｓ１：後処理装置の検知部（開閉カバー開閉状態検知部９３または画像形成装置接続状態検知部９５）が、電源の通電、画像形成装置本体との接続、後処理装置開閉部の閉状態を検知する。
【００５５】
Ｓ２：前ステップ動作を検知すると駆動部がイニシャル動作を行う。その時、幅合わせ等、用紙サイズによって待ち受けが変わるものについて前回の後処理状況や予め設定された用紙サイズに合わせて、幅寄せ部材４４及び用紙受け部材４３４を待ち受け位置へ移動させる。
【００５６】
例えば、Ｓ１のイニシャル動作の起動原因が発生する前に設定されていた用紙サイズに合わせるか、または、あらかじめの設定により定めたイニシャル動作後の待ち受け用紙サイズに合わせるか、または、その時に画像形成装置で設定されている用紙サイズに合わせて移動させる待機動作を行う。
【００５７】
Ｓ３：次に本体のスタートボタンが押されてコピー動作が開始する。
【００５８】
Ｓ４：この時に必要とされる用紙サイズを検知して、当初後処理装置に設定されているサイズであるかどうかを判断する。用紙サイズがあっていればＳ６に動作を移行する。合っていなければＳ５にそのまま搬送動作を開始する。
【００５９】
Ｓ５：受け入れ用紙サイズが出力されてくる用紙と違うサイズなので、画像形成装置から後処理装置に送られる用紙サイズに合わせて、用紙後処理装置内で幅寄せ部材４４及び用紙受け部材４３４の位置移動を行う。
【００６０】
Ｓ６：コピー動作を行い、画像出力を行った後、後処理装置に用紙を搬送して所定の後処理を行う。
【００６１】
以上の一連のフローにより動作が終了する。
【００６２】
［実施例の効果］
本発明実施例により、イニシャル動作後に用紙後処理装置に設定された用紙受け入れサイズが、画像形成装置から出力しようとする用紙サイズと一致した際には、画像形成装置は、用紙後処理装置の用紙サイズ受け入れのための部材の移動動作を待つ必要が無いので、スタート動作からコピーが行われるまでの時間を大幅に短縮することができる。
【００６３】
イニシャル動作後に設定される用紙受け入れサイズについては、イニシャル動作の起動原因が発生する前に設定されていた用紙サイズに合わせるか、または、あらかじめの設定により定めたイニシャル動作後の待ち受け用紙サイズに合わせるか、または、その時に画像形成装置で設定されている用紙サイズに合わせることが可能なため、その利用方法に応じて最適な選択を行うことにより、画像形成装置が出力しようとする用紙サイズと待機状態の受け入れ用紙サイズが最も多く合致するように設定することが可能となった。
【図面の簡単な説明】
【００６４】
【図１】画像形成装置及び用紙後処理装置の断面概略図である（実施例１）。
【図２】後処理装置のドアを開けてステイプル処理部を引き出した状態での概略図である（実施例１）。
【図３】画像形成装置のイニシャル時から画像出力までの動作のフローチャートである（実施例１）。
【符号の説明】
【００６５】
１０  複写機（画像形成装置）
１１  複写機本体
１２  原稿読取部
１３  像形成部
１４  給紙部
２０  後処理装置（用紙後処理装置）
２１  後処理装置本体
２２  用紙受入口
３０  パンチ部
３１  パンチマシン
４０  ステイプル処理部
４１  中間トレイ（用紙受け取り部）
４２  蓋体
４４  幅寄せ機構（用紙保持部材）
４５  中綴じ用ステイプラー
５０  排紙部
５１  ソート用排出トレイ
５２  ノンソート用排出トレイ
５３  昇降機構
９１  開閉カバー
９３  開閉カバー開閉状態検知部（検知部）
９５  画像形成装置接続状態検知部（検知部）
１０１  複写情報入力部
１０２  後処理情報入力部
１０３  表示部
１２１  第１コンタクトガラス
１２２  第２コンタクトガラス
１２３  原稿抑え
１２４  原稿搬送機構
１２５  原稿載置部
１２６  搬入駆動部
１２７  搬送ローラ対
１２８  排出ローラ対
１２９  排紙台
１３１ａ  帯電部
１３１ｂ  現像部
１３２  クリーニング部
１３３  レーザ走査ユニット
１３４  転写ローラ
１３５  定着ローラ対
１３６  用紙排出部
１３７  排出分岐ガイド
１３８  排出ローラ対
１３９  排紙口
１４１  給紙カセット
１４２  手差し給紙部
１４３  第１搬送路
１４５  第２搬送路
１４６  ピックアップローラ
１４７  給紙ローラ対
１４８  搬送ローラ対
１４９  レジストローラ対
２０１  搬入ローラ対
２０２  搬送分岐ガイド
２０３  第１排出ローラ対
２０４  第２排出ローラ対
２９９  後処理装置制御部（制御部）
４１３  上部ガイド長孔
４１４  下部ガイド長孔
４２１  導入ローラ対
４２２  回動案内部材
４３３  搬送ベルト
４３４  用紙受け部材（用紙保持部材）
４５１  端綴じ用ステイプラー
Ｐ  用紙
【図１】
2008050146.tif 000003
【図２】
2008050146.tif 000004
【図３】
2008050146.tif 000005